(57)【要約】【課題】劣化パラメータが異なる複数のリンクについて広告情報の集約を可能とすることができる光ネットワークシステムを得る。【解決手段】複数の光ファイバによってノード装置間が接続される光ネットワークシステムであって、ノード装置１０１〜１０５は、自装置が収容する光ファイバの劣化パラメータ値を入力するパラメータ入力手段と、隣接する１つのノード装置との間の複数の光ファイバを全て集めて１つの集約リンクを定義する集約リンク定義手段と、前記集約リンクに含まれ、使用可能な光ファイバの劣化パラメータ値の集合に統計的演算を施して集約リンクの統計量を算出する統計量算出手段と、ルーティングプロトコルを用いて、集約リンクの光信号伝送の劣化度合を表す情報として、前記統計量算出手段により算出した集約リンクの統計量を含む集約リンク情報を広告する集約リンク情報広告手段とを設けた。【選択図】図１
2008124549.tif 000002
【特許請求の範囲】
【請求項１】
複数の光ファイバによってノード装置間が接続される光ネットワークシステムであって、
前記ノード装置は、
自装置が収容する光ファイバの劣化パラメータ値を入力するパラメータ入力手段と、
隣接する１つのノード装置との間の複数の光ファイバを全て集めて１つの集約リンクを定義する集約リンク定義手段と、
前記集約リンクに含まれ、使用可能な光ファイバの劣化パラメータ値の集合に統計的演算を施して集約リンクの統計量を算出する統計量算出手段と、
ルーティングプロトコルを用いて、集約リンクの光信号伝送の劣化度合を表す情報として、前記統計量算出手段により算出した集約リンクの統計量を含む集約リンク情報を広告する集約リンク情報広告手段と
を備えたことを特徴とする光ネットワークシステム。
【請求項２】
前記集約リンク定義手段は、隣接する１つのノード装置との間の複数の光ファイバを全て集めて１つの集約リンクを定義する代わりに、隣接する１つのノード装置との間の複数の光ファイバを劣化パラメータ値が近い光ファイバを集めて複数のグループを構成し、グループ毎に集約リンクを定義する
ことを特徴とする請求項１記載の光ネットワークシステム。
【請求項３】
前記統計量算出手段は、集約リンクに含まれる光ファイバの使用状況が変化した場合には、光ファイバの使用状況を反映するように、集約リンクの統計量を再度算出する
ことを特徴とする請求項１記載の光ネットワークシステム。
【請求項４】
前記統計量算出手段は、集約リンクの統計量として、前記集約リンクに含まれ、使用可能な光ファイバの劣化パラメータ値の平均と分散を算出する
ことを特徴とする請求項１記載の光ネットワークシステム。
【請求項５】
前記統計量算出手段は、集約リンクの統計量として、前記集約リンクに含まれ、使用可能な光ファイバの劣化パラメータ値の最大値と最小値を算出する
ことを特徴とする請求項１記載の光ネットワークシステム。
【請求項６】
前記ノード装置は、
光パス設定要求に対し広告情報に基づいて光パス経路を選択し、選択した光パス経路に沿って光パスを設定するに際して、光パス設定要求のデータプレーンとして集約リンクを構成する複数本の光ファイバから１本を選択する時に、広告済みの集約リンクの統計量からの乖離が正負いずれの方向か、広告済みの集約リンクの統計量からの乖離が大きいか小さいかのいずれか１つのポリシーに従って１本を選択する経路選択処理手段をさらに備えた
ことを特徴とする請求項１記載の光ネットワークシステム。
【請求項７】
複数の光ファイバによってノード装置間が接続される光ネットワークシステムであって、
前記ノード装置は、
自装置を端点とし光ファイバのいずれかを経由して設定される複数の光パスについて光信号伝送時の劣化パラメータ値の予測値を他のノード装置からの広告情報に基づいて算出する予測値算出手段と、
複数の光パスの集合について算出した予測値の集合に統計的演算を施して仮想リンク、ＦＡ−ＬＳＰのいずれかの統計量を算出する統計量算出手段と、
ルーティングプロトコルを用いて、仮想リンクの光信号伝送の劣化度合を表す情報として、統計量算出手段により算出した仮想リンクの統計量を含む仮想リンク情報、ＦＡ−ＬＳＰの光信号伝送の劣化度合を表す情報として、統計量算出手段により算出したＦＡ−ＬＳＰの統計量を含むＦＡ−ＬＳＰ情報のいずれかを広告する広告手段と
を備えたことを特徴とする光ネットワークシステム。
【請求項８】
前記統計量算出手段は、仮想リンクあるいはＦＡ−ＬＳＰに含まれる光ファイバの使用状況が変化した場合には、光ファイバの使用状況を反映するように、仮想リンクの統計量を再度算出する
ことを特徴とする請求項７記載の光ネットワークシステム。
【請求項９】
前記統計量算出手段は、仮想リンクあるいはＦＡ−ＬＳＰの統計量として、複数の光パスの予測値の平均と分散を算出する
ことを特徴とする請求項７記載の光ネットワークシステム。
【請求項１０】
前記統計量算出手段は、仮想リンクあるいはＦＡ−ＬＳＰの統計量として、複数の光パスの予測値の最大値と最小値を算出する
ことを特徴とする請求項７記載の光ネットワークシステム。
【請求項１１】
前記ノード装置は、
光パス設定要求に対し広告情報に基づいて光パス経路を選択し、選択した光パス経路に沿って光パスを設定するに際して、光パス設定要求のデータプレーンとして光パスの集合から１本を選択する時に、広告済みの仮想リンク、ＦＡ−ＬＳＰのいずれかの統計量からの乖離が正負いずれの方向か、広告済みの仮想リンク、ＦＡ−ＬＳＰのいずれかの統計量からの乖離が大きいか小さいかのいずれか１つのポリシーに従って１本を選択する経路選択処理手段をさらに備えた
ことを特徴とする請求項７記載の光ネットワークシステム。
【発明の詳細な説明】
【技術分野】
【０００１】
この発明は、光伝送の劣化パラメータ値を広告するリンクを集約する際、集約リンクの広告情報として、リンクの劣化パラメータ値の集合から統計的演算により導出される平均、分散、最大値、最小値などの統計量を用いる全光型の光ネットワークシステムに関するものである。
【背景技術】
【０００２】
インターネットなどのトラヒックの増大に対応するために、１０Ｇｂ／ｓ、４０Ｇ／ｓ、将来的にはそれ以上の帯域を１つの波長に乗せて伝送し、光クロスコネクトなどのノード装置において波長または波長群を光のまま交換することで、数十ｋｍ以上の長距離の全光パスをトラヒック需要に応じ動的に設定する光ネットワークシステムの研究開発が、今後のバックボーンネットワークへの適用を目指して進められている。
【０００３】
長距離にわたる光伝送では、波長分散などの品質劣化要因の影響により伝送波形が歪む。そのため、分散補償ファイバや可変分散補償器といった補償手段に光信号を通して歪みを補償する必要がある。波長分散などによって生じる歪みの尺度を、『（光伝送の）劣化パラメータ』と呼ぶ。この劣化パラメータは、光ファイバの種別や距離、周囲の環境に依存して値が決まる。特に、上述した全光パスを動的に設定する光ネットワークシステムでは、光パスの経路毎に距離および劣化パラメータ値が異なる。よって、光パス設定時に、経路の全体にわたる劣化パラメータの累計値が適切な範囲内にある経路を選択する手法が、最大補償能力やダイナミックレンジに限界のある補償手段を有効に利用するためにも欠かせないものとなる。
【０００４】
従来から、光パス設定時に光パスの経路の全体にわたる劣化パラメータの累計値を算出する方法に関する種々の技術が考えられている。たとえば、特許文献１には、ノード装置間のリンク毎に光信号の劣化パラメータを定義し、光通信ネットワークで用いられるルーティングプロトコルを利用して、リンクを収容するノード装置が劣化パラメータを他のノード装置に対して広告する技術が開示されている。光パスを選択する場合、光パスの経路として選んだ各々のリンクについて他のノード装置から劣化パラメータ値を受信しているので、光パスの経路全体にわたる光信号の品質の劣化量を計算でき、経路選択に反映することができる。
【０００５】
従来の光ネットワークシステムについて図８及び図９を参照しながら説明する（例えば、特許文献１参照）。図８は、従来の光ネットワークシステムの構成を示すブロック図である。また、図９は、従来の光ネットワークシステムの劣化パラメータの広告処理を説明するための図である。
【０００６】
図８において、従来の光ネットワークシステムは、ノード装置５０１と、ノード装置５０２と、ノード装置５０３と、ノード装置５０４と、ノード装置５０５とが設けられている。
【０００７】
ノード装置５０１とノード装置５０２との間はリンク５１１で接続されている。同様に、ノード装置５０１とノード装置５０３との間はリンク５１２で接続され、ノード装置５０１とノード装置５０５との間はリンク５１３で接続されている。さらに、ノード装置５０２とノード装置５０５との間はリンク５１４で接続され、ノード装置５０３とノード装置５０４との間はリンク５１５で接続され、ノード装置５０４とノード装置５０５との間はリンク５１６で接続されている。
【０００８】
リンク５１１の劣化パラメータ値は、α５１１である。また、リンク５１２の劣化パラメータ値は、α５１２であり、リンク５１３の劣化パラメータ値は、α５１３であり、リンク５１４の劣化パラメータ値は、α５１４であり、リンク５１５の劣化パラメータ値は、α５１５であり、リンク５１６の劣化パラメータ値は、α５１６である。なお、リンク５１１〜５１６の劣化パラメータ値は、ノード装置５０１〜５０５によってリンク５１１〜５１６を経由して広告される。
【０００９】
図９は、ノード装置が収容する個々のリンクに対応づけて劣化パラメータを広告する時に用いるパケットのフォーマットを示している。すなわち、ルーティングプロトコルＯＳＰＦ（ＩＥＴＦ  ＲＦＣ  ２３２８、ＲＦＣ  ２３７０などで規定）における「Ｏｐａｑｕｅ  ＬＳＡ」（Ｌｉｎｋ  Ｓｔａｔｅ  Ａｄｖｅｒｔｉｓｅｍｅｎｔ）のフォーマットを用い、その「Ｏｐａｑｕｅ  Ｉｎｆｏｒｍａｔｉｏｎ」部分にＴＬＶ（Ｔｙｐｅ、Ｌｅｎｇｔｈ、Ｖａｌｕｅ）形式で、「リンク番号」とそのリンクに対応する「劣化パラメータ値」を対にして格納し、ノード装置からの広告に用いている。
【００１０】
従来の光ネットワークシステムは、上記のように、リンクの劣化パラメータをあらかじめノード装置が広告して他のノード装置、あるいは経路計算サーバへ伝えるため、光パスの設定が要求された時に始点ノードと終点ノードを結ぶ複数の光パス候補についてそれぞれの劣化パラメータの累計値を算出でき、累計値が最小となる光パス候補を選択したり、累計値が閾値を超える光パス候補に対してそれが経由する中継ノード装置において再生中継器の挿入を要求したりすることを可能としている。
【００１１】
【特許文献１】特開２００３−２３４８２３号公報
【非特許文献１】K. Kompella, Y. Rekhter, and L. Berger, “Link Bundling in MPLS Traffic Engineering (TE)” RFC 4201, IETF, 2005年10月
【発明の開示】
【発明が解決しようとする課題】
【００１２】
上述したような従来の光ネットワークシステムでは、リンク毎あるいはリンク上の波長帯域毎に劣化パラメータを広告するため、ノード装置間を結ぶリンクの数が増えるとそれに比例して広告情報の量も増え、広告情報の伝送帯域が増大すると共に、ルーティングプロトコルの処理負荷が増え、広告された情報を格納するリンク状態データベースのサイズも増加し、さらに光パス候補を選択する際にリンク状態データベースを参照するのに要する時間が増大して光パス選択の所要時間が増大するという問題点があった。
【００１３】
将来、光ネットワークシステムで大容量のトラヒックを転送可能とするために、ノード装置間を数十〜数百本の光ファイバのリンクで接続することが想定される。その場合、上記の従来の光ネットワークシステムを用いてリンク毎に劣化パラメータを広告すると、上述したように広告情報の増大とその結果として広告に使用する帯域の増大、リンク状態データベースのサイズの増大、光パス選択の所要時間の増大を招くことになる。
【００１４】
ノード装置間に多数のリンクが存在する場合に広告情報を削減する手法として、非特許文献１にＴＥ（Ｔｒａｆｆｉｃ  Ｅｎｇｉｎｅｅｒｉｎｇ）リンクおよび「Ｌｉｎｋ  ｂｕｎｄｌｉｎｇ」と呼ばれる方法が記述されている。ＴＥリンクは特性の等しいリンクを集約し仮想的な１本のリンクとして広告する手法で、例えば１Ｇｂ／ｓの帯域を持つ２本のイーサーネット（Ｅｔｈｅｒｎｅｔ）（登録商標）のリンクを２Ｇｂ／ｓの１本のリンクへ集約して広告する。「Ｌｉｎｋ  ｂｕｎｄｌｉｎｇ」は、個々のリンクを「Ｃｏｍｐｏｎｅｎｔ  ｌｉｎｋ」と見なし、「Ｃｏｍｐｏｎｅｎｔ  ｌｉｎｋ」を複数束ねた「Ｂｕｎｄｌｅｄ  ｌｉｎｋ」を仮想的なリンクとして広告する手法である。しかし、これらの手法は集約されるリンクの特性が等しいことを前提としており、劣化パラメータを広告情報に含む光ファイバのリンクの集約へこれらを適用することは、リンク毎の劣化パラメータが必ずしも同一でないことから困難である。
【００１５】
すなわち、劣化パラメータは、光ファイバの距離や種別、温度など周囲の環境、コネクタやスプライスによる接続状況などに依存するため、同じ管路を通る光ファイバであっても劣化パラメータが等しいとは限らない。よって、広告情報に劣化パラメータが含まれる場合、従来のＴＥリンクないし「Ｌｉｎｋ  ｂｕｎｄｌｉｎｇ」の手法を用いて劣化パラメータの異なる複数のリンクを集約できず、広告情報の増大とそれに伴う問題点を、リンク集約を用いて解決することは困難であった。
【００１６】
この発明は、上述のような課題を解決するためになされたもので、その目的は、劣化パラメータが異なる複数のリンクについて広告情報の集約を可能とすることができる光ネットワークシステムを得るものである。
【課題を解決するための手段】
【００１７】
この発明に係る光ネットワークシステムは、複数の光ファイバによってノード装置間が接続される光ネットワークシステムであって、前記ノード装置は、自装置が収容する光ファイバの劣化パラメータ値を入力するパラメータ入力手段と、隣接する１つのノード装置との間の複数の光ファイバを全て集めて１つの集約リンクを定義する集約リンク定義手段と、前記集約リンクに含まれ、使用可能な光ファイバの劣化パラメータ値の集合に統計的演算を施して集約リンクの統計量を算出する統計量算出手段と、ルーティングプロトコルを用いて、集約リンクの光信号伝送の劣化度合を表す情報として、前記統計量算出手段により算出した集約リンクの統計量を含む集約リンク情報を広告する集約リンク情報広告手段とを設けたものである。
【発明の効果】
【００１８】
この発明に係る光ネットワークシステムは、劣化パラメータが異なる複数のリンクについて広告情報の集約を可能とすることができるという効果を奏する。
【発明を実施するための最良の形態】
【００１９】
実施の形態１．
この発明の実施の形態１に係る光ネットワークシステムについて図１から図５までを参照しながら説明する。図１は、この発明の実施の形態１に係る光ネットワークシステムの構成を示す図である。なお、以降では、各図中、同一符号は同一又は相当部分を示す。
【００２０】
図１において、この実施の形態１に係る光ネットワークシステムは、全光パスを電気的に終端するクライアント装置１０、１１、１２、１３と、全光パスを光のままスイッチングするノード装置１０１、１０２、１０３、１０４、１０５と、クライアント装置１０〜１３とノード装置１０１〜１０５間を接続するリンク２００、２０１、２０２、２０３、２０４、２０５、２０６、２０７、２０８、２０９とが設けられている。
【００２１】
クライアント装置１０〜１３の例は、ルータや電気クロスコネクトであり、ノード装置１０１〜１０５の例は、全光クロスコネクトである。また、図１の左端のノード装置１０１は、クライアント装置１０、１１を収容し、同図の右端のノード装置１０５は、クライアント装置１２、１３を収容している。
【００２２】
図１上、１本の実線で描かれたリンク２００、２０１、２０８、２０９は、単一の光ファイバによって構成され、図１上、２本の実線で描かれたリンク２０２〜２０７は、それぞれ劣化パラメータ値の異なる複数の光ファイバによって構成される。
【００２３】
すなわち、リンク２０２は、劣化パラメータα２ａの光ファイバ２０２ａと、劣化パラメータα２ｂの光ファイバ２０２ｂから構成される。同様に、リンク２０３は、劣化パラメータα３ａの光ファイバ２０３ａと、劣化パラメータα３ｂの光ファイバ２０３ｂから構成され、リンク２０４は、劣化パラメータα４ａの光ファイバ２０４ａと、劣化パラメータα４ｂの光ファイバ２０４ｂから構成され、リンク２０５は、劣化パラメータα５ａの光ファイバ２０５ａと、劣化パラメータα５ｂの光ファイバ２０５ｂから構成され、リンク２０６は、劣化パラメータα６ａの光ファイバ２０６ａと、劣化パラメータα６ｂの光ファイバ２０６ｂから構成、リンク２０７は、劣化パラメータα７ａの光ファイバ２０７ａと、劣化パラメータα７ｂの光ファイバ２０７ｂから構成される。
【００２４】
クライアント装置１０からクライアント装置１２への全光パスの設定例として、ノード装置１０１、１０３、１０５を経由する光パス２０も点線で図示している。なお、クライアント装置１０〜１３及びノード装置１０１〜１０５は、それぞれ後述する制御プレーンインターフェースによって、ルーティングプロトコルやシグナリングプロトコルを伝達する制御プレーン３００と接続されている。
【００２５】
また、経路計算サーバ３０１も、制御プレーン３００に接続される。この経路計算サーバ３０１は、リンク状態データベースを有し、制御部（図示せず）の経路選択処理により、リンク状態データベースを参照して、光パスの経路選択を集中して実行する。
【００２６】
図２は、この発明の実施の形態１に係る光ネットワークシステムのノード装置の構成を示すブロック図である。
【００２７】
図２において、ノード装置１０１は、制御部１１１と、制御部１１１を制御プレーン３００と接続する制御プレーンインターフェース１１２と、光スイッチ部１１３と、ネットワーク側リンク１１４−１、１１４−２、１１４−３〜１１４−ｉと、ネットワーク側リンク１１４−１〜１１４−ｉを終端するネットワーク側インタフェース部１１５−１、１１５−２、１１５−３〜１１５−ｉと、クライアント側リンク１１６−１、１１６−２、１１６−３〜１１６−ｋと、クライアント側リンク１１６−１〜１１６−ｋを終端するクライアント側インタフェース部１１７−１、１１７−２、１１７−３〜１１７−ｋとが設けられている。他のノード装置１０２〜１０５も同様である。
【００２８】
制御部１１１は、ＣＰＵ、メモリ等で構成され、リンク状態データベースがメモリに構築されている。また、制御部１１１は、インタフェース部１１５、１１７、光スイッチ部１１３を制御すると共に、集約リンク情報を、ルーティングプロトコルを用いて広告したり、光パス設定を、シグナリングプロトコルを用いて行ったりする。
【００２９】
光スイッチ部１１３は、両インタフェース部１１５、１１７と接続して光信号を交換する。なお、ノード装置がクライアント装置を収容しない場合は、クライアント側インタフェース部１１７−１〜１１７−ｋを含まない構成も可能である。
【００３０】
つぎに、この実施の形態１に係る光ネットワークシステムの動作について図面を参照しながら説明する。
【００３１】
図３は、この発明の実施の形態１に係る光ネットワークシステムのノード装置の制御部の動作を示すフローチャートである。
【００３２】
以下、ノード装置１０１が、隣接する１つのノード装置との間の複数の光ファイバにおける劣化パラメータ値を入力し、複数の光ファイバを１つのリンクへ集約すると共に、入力された劣化パラメータ値から統計量を算出し、集約リンクの劣化パラメータ値として広告する手順を、図３のフローチャートを用いて説明する。この手順は、例えば図２の実施の形態１においては、ノード装置１０１の制御部１１１によって実行され、この制御部１１１は、例えばソフトウェアにより構成された、パラメータ入力手段と、集約リンク定義手段と、統計量算出手段と、集約リンク情報格納手段と、集約リンク情報広告手段とを少なくとも有する。
【００３３】
最初に、ステップＳ１において、パラメータ入力手段は、自装置が収容する光ファイバの劣化パラメータ値を入力する。すなわち、パラメータ入力手段は、光ファイバ２００、２０１、２０２ａ、２０２ｂ、２０３ａ、２０３ｂの劣化パラメータ値を入力する。入力の方法は、あらかじめ測定した値、あるいは光ファイバの種別や距離、環境に基づいて推定した値をオペレータが入力しても良い。また、ノード装置１０１が劣化パラメータの測定機能（図示せず）を備え、隣接する他のノード装置と連携して測定するようにしても良い。
【００３４】
次に、ステップＳ２において、集約リンク定義手段は、隣接する１つのノード装置との間の複数の光ファイバを全て集めて１つの集約リンクを定義する。すなわち、集約リンク定義手段は、隣接するノード装置１０２との間の複数の光ファイバ２０２ａ、２０２ｂを集めて１つの集約リンク２０２を定義する。同様に、集約リンク定義手段は、隣接するノード装置１０３との間の複数の光ファイバ２０３ａ、２０３ｂを集めて１つの集約リンク２０３を定義する。
【００３５】
また、統計量算出手段は、集約リンクに含まれ、使用可能な光ファイバの劣化パラメータ値の集合に統計的演算を施して集約リンクの統計量を算出する。すなわち、統計量算出手段は、集約リンク２０２に含まれ、使用可能な光ファイバ２０２ａ、２０２ｂの劣化パラメータ値α２ａ、α２ｂの集合に統計的演算を施して集約リンクの平均、分散、最大値、最小値などの統計量を算出する。同様に、統計量算出手段は、集約リンク２０３に含まれ、使用可能な光ファイバ２０３ａ、２０３ｂの劣化パラメータ値α３ａ、α３ｂの集合に統計的演算を施して集約リンクの平均、分散、最大値、最小値などの統計量を算出する。なお、既に他の光パスに使用されているなどの理由で使用不可能な光ファイバは、統計的演算の対象から除かれる。すなわち、統計量算出手段は、集約リンクに含まれる光ファイバの使用状況が変化した場合には、光ファイバの使用状況を反映するように、集約リンクの統計量を再度算出する。このように、光パスを設定した後などの光ファイバの使用状況が変化した場合には、ステップＳ２〜Ｓ３の処理を繰り返す。
【００３６】
さらに、集約リンク情報格納手段は、「集約リンクの番号」、その集約リンクに含まれる「光ファイバの本数」、その集約リンクに含まれる光ファイバの劣化パラメータ値の集合から算出される「集約リンクの統計量」を組にしてリンク状態データベースに格納する。また、これらの集約リンク情報は、集約リンクについての広告情報へ反映させる。広告情報への反映の方法は、図４を用いて後述する。
【００３７】
なお、集約リンク定義手段は、隣接する１つのノード装置との間の複数の光ファイバを全て集めて１つの集約リンクを定義する代わりに、隣接する１つのノード装置との間の複数の光ファイバを劣化パラメータ値が近い光ファイバを集めて複数のグループを構成し、グループ毎に集約リンクを定義しても良い。このように定義することで、集約リンクに含まれる劣化パラメータ値のばらつきを抑え、集約リンクの統計量と個々の劣化パラメータ値との差を小さくすることができる。
【００３８】
次に、ステップＳ３において、集約リンク情報広告手段は、ルーティングプロトコルを用いて、集約リンクの光信号伝送の劣化度合を表す情報として、統計量算出手段により算出した集約リンクの統計量を含む集約リンク情報を広告する。さらに、集約リンク情報格納手段は、他のノード装置からルーティングプロトコルによって広告された集約リンク情報を受信し、リンク状態データベースに格納して装置間で共有する。
【００３９】
このようにして、ノード装置１０１は、図３のフローチャートに示した処理により、収容する光ファイバの劣化パラメータ値を入力し、隣接するノード装置との間の複数の光ファイバを１本の集約リンクへ集約し、集約リンクに含まれる光ファイバの劣化パラメータ値の集合から劣化パラメータの統計量を算出し、劣化パラメータの統計量を広告情報へ反映し、この広告情報を、ルーティングプロトコルを用いて広告し、その広告情報を他のノード装置１０２〜１０５や経路計算サーバ３０１と共有する。
【００４０】
図４は、この発明の実施の形態１に係る光ネットワークシステムのノード装置が複数の光ファイバを集約した集約リンクについての劣化パラメータの統計量を広告情報へ反映する時に用いるパケットのフォーマットの例を示す図である。
【００４１】
従来と同様に、ルーティングプロトコルＯＳＰＦの「Ｏｐａｑｕｅ  ＬＳＡ」のフォーマットを用いるが、その「Ｏｐａｑｕｅ  Ｉｎｆｏｒｍａｔｉｏｎ」部分にＴＬＶ（Ｔｙｐｅ、Ｌｅｎｇｔｈ、Ｖａｌｕｅ）形式で、「集約リンクの番号」、その集約リンクに含まれる「光ファイバの本数」、その集約リンクに含まれる光ファイバの劣化パラメータ値の集合から算出される「集約リンクの統計量」を組にして格納し、広告する。
【００４２】
なお、本実施の形態１による劣化パラメータの統計量の広告情報への反映は、必ずしも図４に示したフォーマットに限定される必要は無く、例えばＯＳＰＦの「Ｔｒａｆｆｉｃ  Ｅｎｇｉｎｅｅｒｉｎｇ  Ｅｘｔｅｎｓｉｏｎｓ」（ＩＥＴＦ  ＲＦＣ  ２３７０）において定義されたＴＥリンクの情報を表す「Ｌｉｎｋ  ＴＬＶ」中に、新しいｓｕｂ−ＴＬＶとして追加することも可能であり、この方がＴＥリンクを用いて複数の光ファイバを集約する手法との親和性が高い。
【００４３】
本実施の形態１によって、複数の光ファイバを集約リンクへ集約する際に、集約リンクの劣化パラメータとして統計量を用いると、広告情報を大幅に削減することが可能である。図９の従来の広告のフォーマットの例と、図４の本実施の形態１の広告のフォーマットの例を比較すると、例えば１０本の光ファイバから構成されるリンクについて劣化パラメータを広告する場合、１０本の光ファイバのそれぞれの劣化パラメータが異なるとすれば、従来は別々のリンクとして広告しなければならず、各リンクについて「リンク番号」と「劣化パラメータ値」を広告情報に含める必要があった。
【００４４】
一方、図４に示す本実施の形態１の広告情報への反映のフォーマットによれば、１０本の光ファイバが集約されたリンクを表す「集約リンクの番号」と、「光ファイバの本数」と、光ファイバのそれぞれの劣化パラメータ値から算出される「集約リンクの統計量」を、集約リンク情報として広告情報に含めれば良い。具体的には、リンク番号、光ファイバ本数、劣化パラメータ、及び劣化パラメータの統計量がそれぞれ４バイトで表せるとすると、従来の広告情報は８０バイト（＝（４＋４）×１０）であるが、本実施の形態１の広告情報は、統計量として平均と分散という２種類の量を用いても１６（＝４＋４＋４＋４）バイトで済み、広告情報の削減率は８０％となる。もちろん、集約される光ファイバの本数が多いほど、広告情報の削減率は高くなる。
【００４５】
このように、本実施の形態１は、複数の光ファイバを集約し集約リンクの劣化パラメータとして劣化パラメータの統計量を広告することで、広告情報の大幅な削減を可能にする。
【００４６】
ここで、劣化パラメータの広告の目的であった、光パス設定時に劣化パラメータの累計値が適切な範囲内にある経路を選択するという経路選択処理が、本実施の形態１によって広告される劣化パラメータの統計量を用いても適切に目的が果たされることを説明する。
【００４７】
図５は、この発明の実施の形態１に係る光ネットワークシステムの経路選択処理を示すフローチャートである。
【００４８】
この図５は、光パス設定が要求された時に実行される、劣化パラメータを反映した経路選択処理の例である。この経路選択処理は、光パス設定要求を受けたノード装置１０１〜１０５、あるいは経路計算サーバ３０１において、リンク状態データベースを参照して実行される。図２の実施の形態１においては、経路選択処理は、ノード装置１０１の制御部１１１によって実行され、この制御部１１１は、例えばソフトウェアにより構成された経路選択処理手段を少なくとも有する。
【００４９】
最初に、ステップＳ１１において、光パスの始点ノードと終点ノードを結ぶ光パス候補の１つ、Ｘを選択する。光パス候補Ｘは、例えば経路のコストの合計が最小となる経路を選択する最短経路選択法によって求めることができる。
【００５０】
次に、ステップＳ１２において、光パス候補Ｘについて経路の全体にわたる劣化パラメータの累計値を算出する。経路に集約リンクが含まれ、劣化パラメータが統計量である場合は、累計値も統計量として算出する。
【００５１】
次に、ステップＳ１３において、算出した光パス候補Ｘの経路の全体にわたる劣化パラメータの累計値が、適切な範囲内か判定する。適切な範囲内であれば光パス候補Ｘを光パスの経路として選択し、そうでなければステップＳ１１に戻って、光パス候補Ｘと異なる別の光パス候補を選択する。
【００５２】
ここで、劣化パラメータの累計値が適切な範囲内か否かをどのように判定するのかは、光ネットワークシステムの構成や光伝送の阻害要因となる劣化パラメータの種別に依存するが、例えば劣化パラメータが波長分散の場合は、光パスに適用可能な波長分散補償手段が有する最大補償能力やダイナミックレンジの範囲内であるかによって判定することになる。
【００５３】
以下、図３で説明した劣化パラメータの統計量を含む集約リンク情報の広告処理と、図５で説明した劣化パラメータを反映した光パスの経路選択処理の具体例を説明する。
【００５４】
まず、図１の光ネットワークシステムにおける光ファイバの劣化パラメータの具体値として、次の値を想定する。
光ファイバ２０２ａの劣化パラメータα２ａ：９
光ファイバ２０２ｂの劣化パラメータα２ｂ：１０
光ファイバ２０３ａの劣化パラメータα３ａ：１０
光ファイバ２０３ｂの劣化パラメータα３ｂ：２０
光ファイバ２０４ａの劣化パラメータα４ａ：１０
光ファイバ２０４ｂの劣化パラメータα４ｂ：１１
光ファイバ２０５ａの劣化パラメータα５ａ：２０
光ファイバ２０５ｂの劣化パラメータα５ｂ：２１
光ファイバ２０６ａの劣化パラメータα６ａ：９
光ファイバ２０６ｂの劣化パラメータα６ｂ：１１
光ファイバ２０７ａの劣化パラメータα７ａ：１０
光ファイバ２０７ｂの劣化パラメータα７ｂ：２０
【００５５】
次に、光ファイバ２０２ａと光ファイバ２０２ｂは、集約リンク２０２として、集約されて広告されるものとする。集約リンク２０２の劣化パラメータの広告に用いる統計量は、集約リンク２０２に含まれ使用可能な光ファイバの劣化パラメータ値の平均と分散を用いるものとする。同様に、光ファイバ２０３ａと光ファイバ２０３ｂは、集約リンク２０３として、光ファイバ２０４ａと光ファイバ２０４ｂは、集約リンク２０４として、光ファイバ２０５ａと光ファイバ２０５ｂは、集約リンク２０５として、光ファイバ２０６ａと光ファイバ２０６ｂは、集約リンク２０６として、光ファイバ２０７ａと光ファイバ２０７ｂは、集約リンク２０７として、それぞれ集約されて広告されるものとする。集約リンク２０３〜２０７の劣化パラメータの広告に用いる統計量は、集約リンク２０３〜２０７に含まれ使用可能な光ファイバの劣化パラメータ値の平均と分散を用いるものとする。
【００５６】
光パスの設定要求として、クライアント装置１０からクライアント装置１２への第１の光パス設定要求と、その後のクライアント装置１１からクライアント装置１３への第２の光パス設定要求を想定し、両方の光パス設定要求において劣化パラメータの累計値が最小になる経路を選択するものとする。
【００５７】
第１の光パス設定要求に対し、光パス候補を選択する。図５で説明した経路選択処理では、光パス候補を１つずつ選択して評価するが、ここでは説明を簡単にするため、次の４通りの可能な候補を列挙する。
（光パス候補１）ノード装置１０１→ノード装置１０３→ノード装置１０５
（光パス候補２）ノード装置１０１→ノード装置１０２→ノード装置１０４→ノード装置１０５
（光パス候補３）ノード装置１０１→ノード装置１０３→ノード装置１０４→ノード装置１０５
（光パス候補４）ノード装置１０１→ノード装置１０２→ノード装置１０４→ノード装置１０３→ノード装置１０５
【００５８】
第１の光パス設定要求がなされた時点で、全ての光ファイバ２０２ａ、２０２ｂ、２０３ａ、２０３ｂ、２０４ａ、２０４ｂ、２０５ａ、２０５ｂ、２０６ａ、２０６ｂ、２０７ａ、２０７ｂが未使用の場合、図３で説明した劣化パラメータを含む集約リンクの広告処理により、劣化パラメータの統計量が次のように算出され、集約リンクの広告情報として広告され、リンク状態データベースに格納されて共有されている。
集約リンク２０２の劣化パラメータの平均：９．５、分散：０．２５
集約リンク２０３の劣化パラメータの平均：１５、分散：２５
集約リンク２０４の劣化パラメータの平均：１０．５、分散：０．２５
集約リンク２０５の劣化パラメータの平均：２０．５、分散：０．２５
集約リンク２０６の劣化パラメータの平均：１０、分散：１
集約リンク２０７の劣化パラメータの平均：１５、分散：２５
【００５９】
経路選択処理は、リンク状態データベースを参照することで、第１の光パス設定要求の各光パス候補についての劣化パラメータの累計値を、平均および分散の加法性を用い、次のように算出する。
光パス候補１の劣化パラメータの累計値の平均：３０（＝１５＋１５）、分散：５０（＝２５＋２５）
光パス候補２の劣化パラメータの累計値の平均：３０（＝９．５＋１０．５＋１０）、分散：１．５（＝０．２５＋０．２５＋１）
光パス候補３の劣化パラメータの累計値の平均：４５．５（＝１５＋２０．５＋１０）、分散：２６．２５（＝２５＋０．２５＋１）
光パス候補４の劣化パラメータの累計値の平均：５５．５（＝９．５＋１０．５＋２０．５＋１５）、分散：２５．７５（＝０．２５＋０．２５＋０．２５＋２５）
【００６０】
経路選択処理は、劣化パラメータの累計値が最小となる経路を選択しようとするが、光パス候補１と光パス候補２の劣化パラメータの累計値の平均（＝３０）は等しいので、平均だけでは両者のいずれを選択するか決定できない。そこで、劣化パラメータの累計値の分散に着目すると、光パス候補１の分散（＝５０）が光パス候補２の分散（＝１．５）より大きく、劣化パラメータの累計値が平均より著しく小さい光パス経路を選択できる確率が光パス候補２よりも大きいことが分かる。よって、第１の光パス設定要求に対して光パス候補１を選択する。
【００６１】
第１の光パス設定要求に対する経路が光パス候補１と選択されたので、光パス候補１に沿って、ＧＭＰＬＳ（Ｇｅｎｅｒａｌｉｚｅｄ  ＭｕｌｔｉＰｒｏｔｏｃｏｌ  Ｌａｂｅｌ  Ｓｗｉｔｃｈｉｎｇ）シグナリングプロトコルにより、第１の光パスを設定する。ＧＭＰＬＳシグナリングプロトコルによる光パス設定の手法は、従来の技術なので詳述しない。第１の光パス設定に際し、集約リンクとして広告されているリンク２０３、２０７において第１の光パスに使用する光ファイバを選択するが、劣化パラメータの累計値が最小となる経路を選択するとの要求に基づいて、劣化パラメータ値の小さい光ファイバを選択するものとし、リンク２０３については、光ファイバ２０３ｂ（劣化パラメータ値＝２０）ではなく、光ファイバ２０３ａ（劣化パラメータ値＝１０）を選択し、リンク２０７については、光ファイバ２０７ｂ（劣化パラメータ値＝２０）ではなく、光ファイバ２０７ａ（劣化パラメータ値＝１０）を選択する。
【００６２】
上記のように集約リンクを構成する光ファイバの劣化パラメータ値が異なる場合、光パス設定のシグナリング時に、劣化パラメータ値が小さい光ファイバを選ぶか、劣化パラメータ値が大きい光ファイバを選ぶか、あるいは劣化パラメータ値を選択の基準としないかのポリシーは、ノード装置毎にオペレータが設定しても良いし、シグナリングプロトコルに載せてノード装置間で伝えても良い。すなわち、経路選択処理手段は、光パス設定要求に対し広告情報に基づいて光パス経路を選択し、選択した光パス経路に沿って光パスを設定するに際して、光パス設定要求のデータプレーンとして集約リンクを構成する複数本の光ファイバから１本を選択する時に、広告済みの集約リンクの統計量からの乖離が正負いずれの方向か、広告済みの集約リンクの統計量からの乖離が大きいか小さいかのいずれか１つのポリシーに従って１本を選択する。
【００６３】
第１の光パスが設定されると、集約リンク中で、使用済みの光ファイバが除かれ、使用可能な光ファイバが変化するので、リンク２０３、２０７の広告情報における劣化パラメータ値は次のように変化し、他のリンクでは変化しない。
集約リンク２０３の劣化パラメータの平均：２０、分散：０
集約リンク２０７の劣化パラメータの平均：２０、分散：０
【００６４】
次に、第２の光パス設定要求に対する経路選択処理を説明する。第２の光パス設定要求において可能な経路は、第１の光パス設定要求と同じで、光パス候補１から光パス候補４までである。そこで、経路選択処理は、リンク状態データベースを参照することで、第２の光パス設定要求の各光パス候補についての劣化パラメータの累計値を、次のように算出する。
光パス候補１の劣化パラメータの累計値の平均：４０（＝２０＋２０）、分散：０（＝０＋０）
光パス候補２の劣化パラメータの累計値の平均：３０（＝９．５＋１０．５＋１０）、分散：１．５（＝０．２５＋０．２５＋１）
光パス候補３の劣化パラメータの累計値の平均：５０．５（＝２０＋２０．５＋１０）、分散：１．２５（＝０＋０．２５＋１）
光パス候補４の劣化パラメータの累計値の平均：６０．５（＝９．５＋１０．５＋２０．５＋２０）、分散：０．７５（＝０．２５＋０．２５＋０．２５＋０）
【００６５】
経路選択処理は、劣化パラメータの累計値が最小となる経路を選択するので、第２の光パス設定要求に対しては、光パス候補２を選択する。次に、第１の光パス設定要求に対する光パス設定と同様にして、光パス候補２に沿って第２の光パスを設定する。
【００６６】
上記の具体例では、劣化パラメータの統計量を参照して、第１の光パス設定要求に対して光パス候補１を、第２の光パス設定要求に対して光パス候補２を選択できた。上記の具体例において、本実施の形態１によらず、光ファイバ毎に個別のリンクとして劣化パラメータを広告する場合も、第１の光パス設定要求に対して光パス候補１、第２の光パス設定要求に対して光パス候補２が選択される。
【００６７】
すなわち、光ファイバを集約リンクへ集約し広告情報に劣化パラメータの統計量を含める場合と、光ファイバを個別のリンクとし劣化パラメータ値を広告情報に含める場合とでは、光パスの経路選択処理の結果が同じであり、光パス設定時に劣化パラメータの累計値が適切な範囲内にある経路を選択する経路選択処理が、劣化パラメータの統計量を用いても適切に果たされることが示されたものである。
【００６８】
実施の形態２．
この発明の実施の形態２に係る光ネットワークシステムについて図６及び図７を参照しながら説明する。図６は、この発明の実施の形態２に係る光ネットワークシステムの構成を示す図である。
【００６９】
この実施の形態２では、複数の光ファイバを集約した集約リンクではなく、ノード装置間を結ぶ仮想リンクについて、仮想リンクの具体的な各インスタンスの劣化パラメータ値の集合に統計的演算を施して得られる統計量を、仮想リンクの広告情報として用いる場合を扱う。
【００７０】
図６において、サービスプロバイダが運用する光ネットワークシステムの一例が示されている。サービスプロバイダのドメイン４００にクライアント装置１０〜１３が収容されている。サービスプロバイダのドメイン４００内のノード装置１０１〜１０５や、ノード装置間およびノード装置とクライアント装置間のリンク２００〜２０９は、図１に示した実施の形態１の光ネットワークシステムの構成と同じとし、説明を省略する。
【００７１】
つぎに、この実施の形態２に係る光ネットワークシステムの動作について図面を参照しながら説明する。図７は、図６の光ネットワークシステムに対応する仮想リンクの例を示す図である。
【００７２】
図６のようにサービスプロバイダのドメイン４００にクライアント装置１０〜１３が収容される光ネットワークシステムにおいて、クライアント装置から全光パスを設定するケースを想定する。クライアント装置は、全光パスの設定時に劣化パラメータの累計値が適切な範囲内にある経路を選択したいので、ルーティングプロトコルにより、サービスプロバイダのドメイン４００内のリンクやリンク毎の劣化パラメータ値を広告情報として受け取ることを期待する。上記の実施の形態１のように、ノード装置間の集約リンクやその劣化パラメータの情報を広告すればこれは可能であるが、サービスプロバイダは経営上の理由などにより、ドメイン４００におけるノード装置間のリンクの実際の接続情報や劣化パラメータの実際の値を、クライアント装置へ広告情報として通知することは望んでいない。
【００７３】
この問題に対して、従来、サービスプロバイダのドメイン４００におけるノード装置間のリンクの実際の接続情報の代わりに、クライアント装置にとって意味がある情報のみを抽出してクライアント装置へ広告する、仮想リンクと呼ばれる手法がある。
【００７４】
図７に示す例では、クライアント装置１０〜１３の間で光パスを動的に設定することを想定しており、クライアント装置にとって意味がある情報は、クライアント装置を収容するサービスプロバイダのノード装置間にリンクが存在し、光パスの設定に使用可能か否かということである。
【００７５】
そこで、サービスプロバイダのドメイン４００からクライアント装置１０〜１３への広告に際し、クライアント装置１０〜１３を収容するノード装置１０１と１０５の間の仮想リンク２１０を用いる。すなわち、ノード装置１０１と１０５の間では、
（光パス候補１）ノード装置１０１→ノード装置１０３→ノード装置１０５
（光パス候補２）ノード装置１０１→ノード装置１０２→ノード装置１０４→ノード装置１０５
（光パス候補３）ノード装置１０１→ノード装置１０３→ノード装置１０４→ノード装置１０５
（光パス候補４）ノード装置１０１→ノード装置１０２→ノード装置１０４→ノード装置１０３→ノード装置１０５
のいずれかを用いて光パスを設定することが可能なので、クライアント装置からパス設定要求を受けた時に、これらの光パス候補のいずれかが使用可能であれば、仮想リンク２１０をクライアント装置１０〜１３へ広告し、いずれも使用可能でなければ仮想リンク２１０を広告しない。（もしくは、仮想リンク２１０が存在するが空き帯域が無いものとして広告する。）
【００７６】
上記のように仮想リンクの手法を用いれば、サービスプロバイダのドメイン４００のノード装置間のリンクの実際の接続情報を隠蔽し、クライアント装置にとって意味がある、光パス設定に使用可能なリンクが存在するか否かという情報のみを伝えることが出来る。
【００７７】
しかし、従来の仮想リンクの手法は、仮想リンクの広告情報に劣化パラメータを含めることを想定していないため、クライアント装置は仮想リンクの劣化パラメータ値を得ることはできず、仮想リンクを経由して光パスを設定した時の光信号の劣化パラメータの累計値を算出できなかった。その結果、クライアント装置は、先に図５を用いて説明した劣化パラメータを参照した経路選択処理が出来ないという問題があった。
【００７８】
本実施の形態２では、仮想リンクに対応する１つ以上の光パス候補の劣化パラメータの累計値の集合に対し統計的演算を施して得られる劣化パラメータの統計量を、仮想リンクの広告情報に含め、クライアント装置へ広告する。これにより、クライアント装置において劣化パラメータを参照した経路選択処理が可能になる。
【００７９】
従来の仮想リンクの広告情報のフォーマットは、物理的なリンクに対するものと同じである。よって、仮想リンクの広告情報に劣化パラメータの統計量を追加する場合のフォーマットも、上記の実施の形態１で説明したフォーマットと同じで良く、例えば図４に示したフォーマット、あるいはＯＳＰＦの「Ｔｒａｆｆｉｃ  Ｅｎｇｉｎｅｅｒｉｎｇ  Ｅｘｔｅｎｓｉｏｎｓ」（ＩＥＴＦ  ＲＦＣ  ２３７０）において定義されたＴＥリンクの情報を表す「Ｌｉｎｋ  ＴＬＶ」中に、新しいｓｕｂ−ＴＬＶとして追加するフォーマットが適用できる。
【００８０】
上述したように、仮想リンクについて対応する１つ以上の光パス候補の劣化パラメータの統計量を広告情報に含めて広告し、リンク状態データベースで共有し、経路選択処理で参照する手順は、上記の実施の形態１で説明したものと同じになるので、説明は省略する。
【００８１】
ただし、１つ以上の光パス候補の劣化パラメータの累計値の集合から仮想リンクの劣化パラメータの統計量を算出する際、光パス候補の経路上に集約リンクがありその劣化パラメータ値が統計量であれば、光パス候補の劣化パラメータの累計値も統計量になっている。具体的には、上記の光パス候補１〜光パス候補４について、上記の実施の形態１で想定した各光ファイバの劣化パラメータ値を当てはめると、光パス候補の全てのリンクの光ファイバが使用可能な時、劣化パラメータの累計値は次のような統計量になる。
光パス候補１の劣化パラメータの累計値の平均：３０、分散：５０
光パス候補２の劣化パラメータの累計値の平均：３０、分散：１．５
光パス候補３の劣化パラメータの累計値の平均：４５．５、分散：２６．２５
光パス候補４の劣化パラメータの累計値の平均：５５．５、分散：２５．７５
【００８２】
上述したように、仮想リンク２１０が光パス候補１〜光パス候補４を経由する確率はいずれも等しいとして、仮想リンク２１０の劣化パラメータは、平均：４０．２５、分散：２５．８７５と算出される。劣化パラメータの累計値の大きい光パス候補４や光パス候補３を経由する場合に光パスの信号品質に懸念があれば、これらを仮想リンク２１０の光パス候補から除き、残る光パス候補についての劣化パラメータの累計値の統計量を仮想リンク２１０の劣化パラメータとしても良い。
【００８３】
以下、ノード装置１０１が、自装置を端点とし光ファイバのいずれかを経由して設定される複数の光パスについて光信号伝送時の劣化パラメータ値の予測値を他のノード装置からの広告情報に基づいて算出し、１本以上の光パスの集合について予測した劣化パラメータ値を集め統計的演算を施して得られる統計量を算出し、得られた劣化パラメータの統計量を仮想リンクの劣化パラメータ値として広告する手順を説明する。この手順は、ノード装置１０１の制御部１１１によって実行され、この制御部１１１は、例えばソフトウェアにより構成された、予測値算出手段と、統計量算出手段と、広告手段と、経路選択処理手段とを少なくとも有する。
【００８４】
最初に、予測値算出手段は、自装置を端点とし光ファイバのいずれかを経由して設定される複数の光パスについて光信号伝送時の劣化パラメータ値の予測値を他のノード装置からの広告情報に基づいて算出する。すなわち、予測値算出手段は、光パス候補１〜４について、光パスを構成する各光ファイバの劣化パラメータ値を加算した累計値を算出する。
【００８５】
次に、統計量算出手段は、複数の光パスの集合について算出した予測値の集合に統計的演算を施して仮想リンクの統計量を算出する。すなわち、統計量算出手段は、光パス候補１〜４について、各光パスの劣化パラメータ値の累計値の集合に統計的演算を施して仮想リンクの平均、分散、最大値、最小値などの統計量を算出する。なお、既に他の光パスに使用されているなどの理由で使用不可能な光ファイバは、統計的演算の対象から除かれる。すなわち、統計量算出手段は、仮想リンクに含まれる光ファイバの使用状況が変化した場合には、光ファイバの使用状況を反映するように、仮想リンクの統計量を再度算出する。
【００８６】
次に、広告手段は、ルーティングプロトコルを用いて、仮想リンクの光信号伝送の劣化度合を表す情報として、統計量算出手段により算出した仮想リンクの統計量を含む仮想リンク情報を広告する。
【００８７】
なお、経路選択処理手段は、光パス設定要求に対し広告情報に基づいて光パス経路を選択し、選択した光パス経路に沿って光パスを設定するに際して、光パス設定要求のデータプレーンとして光パスの集合から１本を選択する時に、広告済みの仮想リンクの統計量からの乖離が正負いずれの方向か、広告済みの仮想リンクの統計量からの乖離が大きいか小さいかのいずれか１つのポリシーに従って１本を選択する。
【００８８】
実施の形態３．
この発明の実施の形態３に係る光ネットワークシステムについて説明する。
【００８９】
仮想リンクは、光パスの経路選択のため、設定可能性のある光パス候補の情報を抽象化してリンクの情報として広告するものである。一方、設定済みの光パスをリンクとして広告する場合もあり、ＦＡ−ＬＳＰ（Ｆｏｒｗａｒｄｉｎｇ  Ａｄｊａｃｅｎｃｙ−Ｌａｂｅｌ  Ｓｗｉｔｃｈｅｄ  Ｐａｔｈ）と呼ばれる。このＦＡ−ＬＳＰが複数の光パスから構成される場合もあり、それら複数の光パスによって劣化パラメータの累計値が異なるなら、本実施の形態３では複数の光パスの劣化パラメータの累計値の集合から統計量を算出し、ＦＡ−ＬＳＰの広告情報における劣化パラメータ値として用いる。ＦＡ−ＬＳＰが複数の光パスから構成される場合の一例は、現用パスと予備パスの２つの光パスから構成されるプロテクションである。また、別の例は、ＦＡ−ＬＳＰの集まりにリンク集約の手法を適用する場合である。いずれにせよ、上記の実施の形態２において説明した、１つ以上の光パス候補の劣化パラメータの累計値の集合に対し統計的演算を施して劣化パラメータの統計量を得る方法と同じ方法が適用できるので、詳細な説明は省略する。
【図面の簡単な説明】
【００９０】
【図１】この発明の実施の形態１に係る光ネットワークシステムの構成を示す図である。
【図２】この発明の実施の形態１に係る光ネットワークシステムのノード装置の構成を示すブロック図である。
【図３】この発明の実施の形態１に係る光ネットワークシステムのノード装置の制御部の動作を示すフローチャートである。
【図４】この発明の実施の形態１に係る光ネットワークシステムのノード装置が複数の光ファイバを集約した集約リンクについての劣化パラメータの統計量を広告情報へ反映する時に用いるパケットのフォーマットの例を示す図である。
【図５】この発明の実施の形態１に係る光ネットワークシステムの経路選択処理を示すフローチャートである。
【図６】この発明の実施の形態２に係る光ネットワークシステムの構成を示す図である。
【図７】図６の光ネットワークシステムに対応する仮想リンクの例を示す図である。
【図８】従来の光ネットワークシステムの構成を示すブロック図である。
【図９】従来の光ネットワークシステムの劣化パラメータの広告処理を説明するための図である。
【符号の説明】
【００９１】
１０、１１、１２、１３  クライアント装置、１０１、１０２、１０３、１０４、１０５  ノード装置、１１１  制御部、１１２  制御プレーンインターフェース、１１３  光スイッチ部、１１４  ネットワーク側リンク、１１５  ネットワーク側インタフェース部、１１６  クライアント側リンク、１１７  クライアント側インタフェース部、２００、２０１、２０２、２０３、２０４、２０５、２０６、２０７、２０８、２０９  リンク、２１０  仮想リンク、３００  制御プレーン、３０１  経路計算サーバ、４００  ドメイン。
【図１】
2008124549.tif 000003
【図２】
2008124549.tif 000004
【図３】
2008124549.tif 000005
【図４】
2008124549.tif 000006
【図５】
2008124549.tif 000007
【図６】
2008124549.tif 000008
【図７】
2008124549.tif 000009
【図８】
2008124549.tif 000010
【図９】
2008124549.tif 000011